(57)【特許請求の範囲】
【請求項１】
二つの部屋の間に、両部屋から使用可能な収納室および廊下が並べて設けられており、
前記二つの部屋の互いに対向する出入口に前記廊下が接続され、
前記収納室を画成する壁には、前記廊下から出入り可能な出入口が形成されており、
前記二つの部屋と収納室とは連続した一つの空間となっており、両部屋と収納室との境界部に、当該境界部の全幅に亙って床から天井までの高さを有する引違い式の戸が設けられていることを特徴とする収納構造。
【請求項２】
請求項１に記載の収納構造において、
前記収納室には、この収納室の床と天井との間に取り外し可能に設けられた複数の縦フレームと、縦フレーム間に取り外し可能に架設された横フレームとを有する収納フレームが二組設けられ、
一方の収納フレームは前記一方の部屋側に面し、かつ一方の前記引違い式の戸に寄せて設けられ、他方の前記収納フレームは前記他方の部屋側に面し、かつ他方の前記引違い式の戸に寄せて設けられ、
前記各収納フレームの縦フレーム間は住人が行き来可能であることを特徴とする収納構造。
【請求項３】
請求項１または２に記載の収納構造において、
前記収納室の上部は開閉可能な天窓に面していることを特徴とする収納構造。
【発明の詳細な説明】
【技術分野】
【０００１】
本発明は、二つの部屋の間に設けられて、両部屋から使用可能な収納構造に関する。
【背景技術】
【０００２】
住居に設けられる各種物入れの一つとして、納戸程度の広さを有し、収納空間への人の出入りを可能とした、衣類や小物などを収納するウォークインクローゼットが知られている。
このウォークインクローゼットの一例として、特許文献１に記載のものが知られている。これは、脱衣所と、寝室との間にウォークインクローゼットが設けられ、このウォークインクローゼットには、脱衣所側と、寝室側との２箇所に出入口が設けられているものである。
【特許文献１】特開２００５−３３６８６９号公報
【発明の開示】
【発明が解決しようとする課題】
【０００３】
ところで、上記のようなウォークインクローゼットを備えた収納構造では、脱衣所や寝室といった二つの部屋の間に収納室が設けられているので、両部屋から収納室を使用することができ便利であるが、寝室もしくは脱衣所からしか収納室へ物を出し入れすることができない。
ウォークイン型の収納室は比較的広く、あらゆる物が頻繁に出し入れされるので、その出し入れごとに寝室もしくは脱衣所に回らなければならず不便である。
また、寝室を使用する住人以外の住人が収納室に物を出し入れしたい場合、脱衣所側から出し入れするしかないが、脱衣所は比較的狭いので大きな物の出し入れには不便である。
【０００４】
本発明は上記事情に鑑みてなされたもので、二つの部屋の間にある収納室への物の出し入れが便利となる収納構造を提供することを課題としている。
【課題を解決するための手段】
【０００５】
上記課題を解決するために、請求項１に記載の発明は、例えば図１および図２に示すように、二つの部屋４，１５の間に、両部屋４，１５から使用可能な収納室１６および廊下１９が並べて設けられており、
前記二つの部屋４，１５の互いに対向する出入口に前記廊下１９が接続され、
前記収納室１６を画成する壁１８には、前記廊下１９から出入り可能な出入口２０が形成されており、
前記二つの部屋４，１５と収納室１６とは連続した一つの空間となっており、両部屋４，１５と収納室１６との境界部に、当該境界部の全幅に亙って床から天井までの高さを有する引違い式の戸１７，１７が設けられていることを特徴とする。
【０００６】
請求項１に記載の発明によれば、二つの部屋４，１５の間に設けられた収納室１６を画成する壁１８に、二つの部屋４，１５の外側にあり、かつ前記二つの部屋４,１５の互いに対向する出入口に接続された廊下１９から出入り可能な出入口２０が形成されているので、この出入口２０から物を容易に出し入れできる。したがって、二つの部屋４，１５の間にある収納室１６への物の出し入れが便利となる。
また、引違い式の戸１７，１７を開けることによって、収納室１６を部屋４，１５に対して大きく開口させることができ、収納室１６に物を容易に出し入れできる。また、二つの引違い式の戸１７，１７を開けた際に、両部屋４，１５と収納室１６とが連続した一つの空間となるので、収納室１６への風通しがよくなる。
【０００９】
請求項２に記載の発明は、請求項１に記載の収納構造において、
前記収納室１６には、この収納室１６の床と天井との間に取り外し可能に設けられた複数の縦フレーム２６と、縦フレーム２６，２６間に取り外し可能に架設された横フレーム２７とを有する収納フレーム２５が二組設けられ、
一方の前記収納フレーム２５は前記一方の部屋４側に面し、かつ一方の前記引違い式の戸１７に寄せて設けられ、他方の前記収納フレーム２５は前記他方の部屋１５側に面し、かつ他方の前記引違い式の戸１７に寄せて設けられ、
前記各収納フレーム２５の縦フレーム２６，２６間は住人が行き来可能であることを特
徴とする。
【００１０】
請求項２に記載の発明によれば、収納フレーム２５の縦フレーム２６が取り外し可能であるとともに、横フレーム２７も取り外し可能であるので、収納室１６の所望の位置に容易に収納フレーム２５を設置できる。
また、収納室１６から収納フレーム２５を撤去することによって、二つの部屋４，１５と収納室１６とを大きな一つの部屋として使用することもできる。
【００１２】
また、両部屋４，１５からそれぞれ収納フレーム２５，２５を専用に使用することができる。
また、縦フレーム２６，２６間を住人が行き来することによって、二組の収納フレーム２５，２５の間に収納されている物を出し入れすることもできる。
【００１３】
請求項３に記載の発明は、例えば図２および図３に示すように、請求項１または２に記載の収納構造において、
前記収納室１６の上部は開閉可能な天窓２４に面していることを特徴とする。
【００１４】
請求項３に記載の発明によれば、収納室１６が天窓２４に面しているので、該収納室１６への採光と通風を容易に確保できる。
【発明の効果】
【００１５】
本発明によれば、二つの部屋の間に、両部屋から使用可能な収納室が設けられており、この収納室を画成する壁に、前記二つの部屋の外側にあり、かつ前記二つの部屋の互いに対向する出入口に接続された廊下から出入り可能な出入口が形成されているので、この出入口から物を容易に出し入れできる。したがって、二つの部屋の間にある収納室への物の出し入れが便利となる。
【発明を実施するための最良の形態】
【００１６】
以下図面を参照して本発明の実施の形態について説明する。
図１は本発明に係る収納構造を備えた建物の２階の平面図を示している。建物本体１の中央部西側寄りに１階床から２階天井まで吹き抜ける吹抜け空間２が設けられており、２階においては、吹抜け空間２に面して部屋３，４が設けられている。部屋３は夫婦の寝室として使用され、部屋４は子供部屋として使用されるものであり、吹抜け空間２を挟んで南北に配置されている。
部屋４と吹抜け空間２とは透明仕切壁５によって仕切られている。この透明仕切壁５は厚さ１０ｍｍの透明な強化ガラス板で形成されたものであり、その上端部は２階天井まで達している。
また、部屋４と吹抜け空間２とは透明仕切壁６によって仕切られている。この透明仕切壁６も厚さ１０ｍｍの透明な強化ガラス板で形成されたものであり、その上端部は２階天井まで達している。
また、透明仕切壁５，６の部屋側の上端部には、ブラインドが取り付けられており、このブラインドによって透明仕切壁５，６３を覆えるようになっている。ブラインドによって透明仕切壁５，６を覆うことによって、部屋３，４と吹抜け空間２との間の視認性を遮断できるようになっている。
【００１７】
前記吹抜け空間２は建物本体１の西側の外壁に面しており、この外壁には２階において大窓７が設けられている。この大窓７は部屋３，４の上下の高さとほぼ等しい縦長の窓であり、吹抜け空間２の南北方向の長さ全体に亙って設けられている。
したがって、平面視長方形状の吹抜け空間２は、その２階部分において、二つの長辺と一つの短辺が透明なガラス板によって形成されている。
また、前記部屋３の東側に隣接して大型のウォークインクローゼット８が設けられており、このウォークインクローゼット８の東側に隣接してバルコニー９が設けられている。ウォークインクローゼット８には、衣類を収納する収納部８ａと、衣類を畳んだり、衣類にアイロンかけを行うための家事カウンター８ｂとが設けられている。このようなウォークインクローゼット８には部屋３およびバルコニー９の双方から出入りできるようになっている。
また、バルコニー９の北側に隣接して洗面室１０が設けられており、この洗面室１０の北側に浴室１１がこの浴室１１の西側にトイレ１２が設けられている。また、洗面室１０には洗濯機置場１０ａが設けられている。そして、バルコニー９には洗面室１０から出入りできるようになっている。
【００１８】
そして、上記のような構成の建物において、本発明に係る収納構造は以下のように構成されている。
すなわち、建物本体１の２階の北東角部には、部屋１５が設けられており、この部屋１５と前記部屋４との間に、両部屋４，１５から使用可能なウォークインクローゼット（収納室）１６が設けられている。
二つの部屋４，１５と収納室１６とは連続した一つの空間となっており、両部屋４，１５と収納室１６との境界部に、床から天井までの高さを有する引違い式の戸１７，１７が設けられている。引違い式の戸１７は３連のものであり、該引違い式の戸１７を開くことによって、収納室１６を部屋４，１５に対して大きく開口できるようになっている。
【００１９】
また、収納室１６を画成する壁１８には、部屋４，１５の外側にある廊下１９から出入り可能な出入口２０が設けられており、この出入口２０はドア２１によって開閉できるようになっている。廊下１９は部屋４，１５に接続されたもので、収納室１６の南側に隣接して設けられており、階段ホール２２に接続されている。
また、収納室１６の天井には面格子２３が設けられており、この面格子２３の上方にある屋根には、図３に示すように、開閉可能な天窓２４が設けられている。したがって、収納室１６の上部は面格子２３を介して天窓２４に面しており、この天窓２４から採光や通風を確保できるようになっている。
【００２０】
前記収納室１６には、二組の収納フレーム２５，２５が設けられている。そして、一方の収納フレーム２５は一方の部屋４側に面して設けられ、他方の収納フレーム２５は他方の部屋１５側に面して設けられ、これら収納フレーム２５，２５は平行に配置されている。
収納フレーム２５は複数本の縦フレーム２６と複数本の横フレーム２７とを備えており、縦フレーム２６は収納室１６の床と天井との間に取り外し可能に設けられている。縦フレーム２６は上下突っ張り型のものであり、上端と下端とがそれぞれ収納室１６の天井面と床面とに圧接することによって、天井面と床面との間に固定され、圧接を解除することによって取り外せるようになっている。例えば、縦フレーム２６の下端部に圧接部を設け、この圧接部を床に圧接させるとともに、その反作用で縦フレーム２６の上端面を天井面に圧接することによって、天井面と床面との間に固定されるようになっている。
【００２１】
縦フレーム２６は収納室１６の奥行き方向（出入口２０から見た奥行き方向）に所定間間隔で平行に設けられており、縦フレーム２６，２６間に横フレーム２７が取り外し可能に架設されている。例えば、縦フレーム２６，２６には孔が対向して形成されており、この孔に横フレーム２７の端部をそれぞれ挿入することによって、縦フレーム２６，２６間に横フレーム２７が取り外し可能に架設されている。
また、縦フレーム２６の上端部や中途部には、図示しないアームが取り外し可能に取り付けられており、このアームによって棚板２８が水平に支持されている。また、収納室１６の床には箱状の収納家具２９が設置されている。
【００２２】
本実施の形態の収納構造によれば、二つの部屋４，１５の間に設けられた収納室１６を画成する壁１８に、二つの部屋４，１５の外側にある廊下１９から出入り可能な出入口２０が形成されているので、この出入口２０から物を容易に出し入れできる。したがって、二つの部屋４，１５の間にある収納室１６への物の出し入れが便利となる。
また、二つの部屋４，１５と収納室１６とは連続した一つの空間となっており、両部屋４，１５と収納室１６との境界部に、床から天井までの高さを有する引違い式の戸１７，１７が設けられているので、引違い戸１７，１７を開けることによって、収納室１６を部屋４，１５に対して大きく開口させることができ、収納室１６に物を容易に出し入れできる。また、二つの引違い戸１７，１７を開けた際に、両部屋４，１５と収納室１６とが連続した一つの空間となるので、収納室１６への風通しがよくなる。
さらに、収納フレーム２５の縦フレーム２６が取り外し可能であるとともに、横フレーム２７も取り外し可能であるので、収納室１６の所望の位置に容易に収納フレーム２６を設置できる。
また、収納室１６から収納フレーム２５を撤去することによって、二つの部屋４，１５と収納室１６とを大きな一つの部屋として使用することもできる。
また、収納室１６に、二組の収納フレーム２５，２５が設けられており、一方の収納フレーム２５は一方の部屋４側に面して設けられ、他方の収納フレーム２５は他方の部屋１５側に面して設けられているので、両部屋４，１５からそれぞれ収納フレーム２５，２５を専用に使用することができる。
また、縦フレーム２６，２６間を住人が行き来することによって、二組の収納フレーム２５，２５の間に収納されている物を出し入れすることもできる。
さらに、収納室１６の上部は開閉可能な天窓２４に面しているので、収納室１６への採光と通風を容易に確保できる。
【図面の簡単な説明】
【００２３】
【図１】本発明に係る収納構造を備えた建物の２階の平面図である。
【図２】本発明に係る収納構造を示す斜視図である。
【図３】本発明に係る収納構造の天窓を示す建物の立面図である。
【符号の説明】
【００２４】
４，１５  部屋
１６  収納室
１７  引違い式の戸
１８  壁
１９  廊下
２０  出入口
２４  天窓
２５  収納フレーム
２６  縦フレーム
２７  横フレーム
【図１】
0005389330.tif 000002
【図２】
0005389330.tif 000003
【図３】
0005389330.tif 000004